(57)【要約】【課題】浴室の床や壁、天井あるいは浴槽等に付着した水滴を除去するのに用いる水切りワイパーを提供する。【解決手段】水切りワイパーは、柄１と、該柄１の先端に設けられた水切部材２とを有し、該水切部材２は、先端エッジ７と左右の側端エッジ８ａ，８ｂとを有し、該左右の側端エッジ８ａ，８ｂの長さＤ２は前記先端エッジ７の長さＤ１より短く、また、前記先端エッジ７は、前記水切部材２の表面の先端傾斜面１０ａと裏面の先端傾斜面１０ｂとが交わる部分に形成されることにより、先が尖った形をしており、前記左右の側端エッジ８ａ，８ｂも、前記水切部材２の表面の側端傾斜面１１ａと裏面の側端傾斜面１１ｂとが交わる部分に形成されることにより、それぞれ先が尖った形をしている。【選択図】図１
2020185519.tif 000002
【特許請求の範囲】
【請求項１】
柄と、該柄の先端に設けられた水切部材とを有し、
前記水切部材は、ワイパーの前方を向く先端エッジと、ワイパーの左側方を向く左の側端エッジと、ワイパーの右側方を向く右の側端エッジとを有し、
前記先端エッジは、前記柄の中心軸線と直交する方向に延在し、前記左右の側端エッジは、前記中心軸線と平行する方向に延在し、該左右の側端エッジの長さは、前記先端エッジの長さより短く、
また、前記先端エッジは、前記水切部材の表面の先端傾斜面と裏面の先端傾斜面とが交わる部分に形成されることにより、先が尖った形をしており、前記左右の側端エッジも、前記水切部材の表面の側端傾斜面と裏面の側端傾斜面とが交わる部分に形成されることにより、それぞれ先が尖った形をしている、
ことを特徴とする水切りワイパー。
【請求項２】
前記先端エッジ及び左右の側端エッジは、ワイパーを前記中心軸線を含む位置で表面側と裏面側とに二分する第１仮想平面上に位置し、
前記先端エッジを形成する表面の先端傾斜面と裏面の先端傾斜面、及び、前記左右の側端エッジを形成する表面の側端傾斜面と裏面の側端傾斜面とは、前記第１仮想平面に対してそれぞれ対称をなしている、
ことを特徴とする請求項１に記載の水切りワイパー。
【請求項３】
ワイパー全体が前記第１仮想平面に対して表裏対称をなしていることを特徴とする請求項２に記載の水切りワイパー。
【請求項４】
前記先端エッジを形成する表面の先端傾斜面及び裏面の先端傾斜面の、傾斜開始端から先端エッジまでの斜面幅は、前記左右の側端エッジを形成する表面の側端傾斜面及び裏面の側端傾斜面の、傾斜開始端から側端エッジまでの斜面幅より大きいことを特徴とする請求項２又は３に記載の水切りワイパー。
【請求項５】
前記柄は、手で握るためのグリップ部と、該グリップ部の先端に連なるネック部と、該ネック部の先端から延びて前記水切部材に連なるアーム部とを有し、前記グリップ部及びネック部が円筒状に形成され、前記アーム部の表裏面がそれぞれ平面状に形成されることにより、該アーム部と前記ネック部とが連なる部分の表面及び裏面にそれぞれ段差が形成されていることを特徴とする請求項１から４の何れかに記載の水切りワイパー。
【発明の詳細な説明】
【技術分野】
【０００１】
本発明は、例えば浴室の床や壁、天井あるいは浴槽等に付着した水滴を除去するのに用いる水切りワイパーに関するものである。
【背景技術】
【０００２】
例えば浴室の床や壁、天井あるいは浴槽等に付着した水滴を除去する場合、水切りワイパーが使用されている。従来の水切りワイパーは、特許文献１や特許文献２等に開示されているように、柄の先端にゴム製の水切部材を横に細長く取り付けることにより、正面視形状がＴ字形あるいはＹ字形をなすように形成したものが一般的であり、浴室の床や壁あるいは天井等に付着した水滴を、前記水切部材の先端のエッジで掻き取るようにして除去する。
【０００３】
ところが、前記従来の水切りワイパーは、前記水切部材が横に細長い板状をしていて、先端のエッジも長い直線状をしているため、壁面や天井のような平坦な部分の水滴を除去するのには適しているが、清掃対象が浴槽の内面のように複雑に湾曲する曲面である場合には、その曲面に前記水切部材及びエッジがフィットしにくいため、付着した水滴を除去するのが困難であった。また、隣接する蛇口と蛇口の間や、蛇口と壁の間のような狭い部分についても、前記水切部材のエッジをこのような狭い部分に差し込むのが難しいため、そこに付着した水滴を除去するのが困難であった。
【先行技術文献】
【特許文献】
【０００４】
【特許文献１】意匠登録第１６１２７１２号公報
【特許文献２】意匠登録第１３９４２１０号公報
【発明の概要】
【発明が解決しようとする課題】
【０００５】
本発明の技術的課題は、浴室の床や壁あるいは天井のような平坦な部分の水切りを行うことができるのは勿論のこと、浴槽の内面のように複雑に湾曲する曲面や、隣接する蛇口と蛇口の間や蛇口と壁の間のような狭い部分の水切りも行うことができる、構造が簡単で使用性に勝れた水切りワイパーを提供することにある。
【課題を解決するための手段】
【０００６】
前記課題を解決するため、本発明の水切りワイパーは、柄と、該柄の先端に設けられた水切部材とを有し、前記水切部材は、ワイパーの前方を向く先端エッジと、ワイパーの左側方を向く左の側端エッジと、ワイパーの右側方を向く右の側端エッジとを有し、前記先端エッジは、前記柄の中心軸線と直交する方向に延在し、前記左右の側端エッジは、前記中心軸線と平行する方向に延在し、該左右の側端エッジの長さは、前記先端エッジの長さより短く、また、前記先端エッジは、前記水切部材の表面の先端傾斜面と裏面の先端傾斜面とが交わる部分に形成されることにより、先が尖った形をしており、前記左右の側端エッジも、前記水切部材の表面の側端傾斜面と裏面の側端傾斜面とが交わる部分に形成されることにより、それぞれ先が尖った形をしていることを特徴とする。
【０００７】
本発明の水切りワイパーにおいて、前記先端エッジ及び左右の側端エッジは、ワイパーを前記中心軸線を含む位置で表面側と裏面側とに二分する第１仮想平面上に位置し、前記先端エッジを形成する表面の先端傾斜面と裏面の先端傾斜面、及び、前記左右の側端エッジを形成する表面の側端傾斜面と裏面の側端傾斜面とは、前記第１仮想平面に対してそれぞれ対称をなしていても良い。
また、本発明の水切りワイパーは、前記第１仮想平面に対して表裏対称をなしていることが望ましい。
【０００８】
本発明の水切りワイパーにおいて、前記先端エッジを形成する表面の先端傾斜面及び裏面の先端傾斜面の、傾斜開始端から先端エッジまでの斜面幅は、前記左右の側端エッジを形成する表面の側端傾斜面及び裏面の側端傾斜面の、傾斜開始端から側端エッジまでの斜面幅より大きいことが望ましい。
【０００９】
更に、本発明の水切りワイパーにおいて、前記柄は、手で握るためのグリップ部と、該グリップ部の先端に連なるネック部と、該ネック部の先端から延びて前記水切部材に連なるアーム部とを有し、前記グリップ部及びネック部が円筒状に形成され、前記アーム部の表裏面がそれぞれ平面状に形成されることにより、該アーム部と前記ネック部とが連なる部分の表面及び裏面にそれぞれ段差が形成されていることが望ましい。
【発明の効果】
【００１０】
本発明の水切りワイパーによれば、浴室の床や壁あるいは浴槽等の実質的に平らな部分に付着した水滴は、長さの長い先端エッジで除去することができ、隣接する蛇口と蛇口の間や、蛇口と壁の間のような狭い部分に付着した水滴は、水切部材の左側又は右側の側端部をこの狭い部分に差し込むことにより、該側端部に形成された長さの短い側端エッジで除去することができ、浴槽の内面のように複雑に湾曲する曲面に付着した水滴は、その曲面の湾曲状態に応じて前記先端エッジと側端エッジとを適宜使い分けることにより除去することができる。
【図面の簡単な説明】
【００１１】
【図１】本発明に係る水切りワイパーの一実施形態を示す斜視図である。
【図２】図１の水切りワイパーの正面図である。
【図３】図２の側面図である。
【図４】図２の平面図である。
【発明を実施するための形態】
【００１２】
図１−図４に示す本発明の水切りワイパー（以下、単に「ワイパー」という場合もある。）は、硬質の柄１と、該柄１の先端に設けられた軟質の水切部材２とを有し、図３に示すように、前記柄１の中心軸線Ｌを含む位置で該ワイパーを表裏に二分する第１仮想平面Ｓ１に対して表裏対称をなすと共に、図２に示すように、前記中心軸線Ｌを含む位置で該ワイパーを左右に二分する第２仮想平面Ｓ２に対して左右対称をなしている。前記第１仮想平面Ｓ１と第２仮想平面Ｓ２とは互いに直交する面である。
【００１３】
このように、前記水切りワイパーは、表裏対称をなしているため表裏の区別がないが、説明の都合上、該水切りワイパーの表裏については、図２で手前（紙面）側を向く面を表面とし、反対側を向く面を裏面とすることとし、該水切りワイパーの左右については、表面側から見たときの向きで決めるものとする。
【００１４】
前記柄１は、手で握るためのグリップ部３と、該グリップ部３の先端に連なるネック部４と、該ネック部４の先端から二股状に分岐するアーム部５とを有し、これらグリップ部３とネック部４とアーム部５とが、ポロプロピレンによって一体に形成され、前記アーム部５の先端に、前記水切部材２が一体に連設されている。この水切部材２は、サーモプラスチックエラストマー（ＴＰＥ）により形成され、その硬度は約６０°である。
前記柄１と水切部材２とは、図示したように一体に成型しても良いが、互いに別体に形成したあと接着や溶着等の方法で一体に接合しても良い。
【００１５】
前記グリップ部３とネック部４とは、円筒状をしていて、前記中心軸線Ｌに沿って真っ直ぐ連なっており、前記グリップ部３の直径は一定であるが、前記ネック部４の直径は、前記基端側（グリップ部３側）から先端側（アーム部５側）に向けて次第に小さくなっている。
【００１６】
これに対して前記アーム部５は、表裏両面がそれぞれ平面状をなすように形成されると共に、先端に行くに従って厚さが次第に薄くなるように形成され、該アーム部５の基端と前記ネック部４の先端とが連なる部分の表面及び裏面に、該アーム部５の平面と前記ネック部４の円筒との形状差に基づく段差６がそれぞれ形成されている。この段差６は、前記水切部材２で掻き取られた水滴が、前記アーム部５を伝ってグリップ部３に流れ落ちてくるのを防ぐ機能を有している。
【００１７】
前記水切部材２は、左右方向（中心軸線Ｌと直交する方向）に細長い長方形状をなすもので、該水切部材２の先端部に、ワイパーの前方を向く先端エッジ７が形成され、該水切部材２の左端部に、ワイパーの左側方を向く左側の側端エッジ８ａが形成され、該水切部材２の右端部に、ワイパーの右側方を向く右側の側端エッジ８ｂが形成されている。
【００１８】
前記先端エッジ７は、前記柄１の中心軸線Ｌと直交する方向に直線状に延在し、前記左右の側端エッジ８ａ，８ｂは、前記柄１の中心軸線Ｌと平行する方向に直線状に延在しており、該左右の側端エッジ８ａ，８ｂの長さＤ２は、前記先端エッジ７の長さＤ１より短い。前記側端エッジ８ａ，８ｂの長さＤ２は、前記先端エッジ７の長さＤ１の１／４−１／７程度であることが好ましく、図示した例では、前記先端エッジ７の長さＤ１の１／６程とされている。
【００１９】
前記先端エッジ７は、前記水切部材２の表面に形成された先端傾斜面１０ａと裏面に形成された先端傾斜面１０ｂとが交わる部分に形成されることにより、先が尖った形をしている。即ち、前記水切部材２の表面及び裏面には、該水切部材２の先端に向けて該水切部材２の厚さが次第に薄くなるように傾斜する平面状の前記先端傾斜面１０ａ，１０ｂが形成され、表面の先端傾斜面１０ａと裏面の先端傾斜面１０ｂとが交わる部分に前記先端エッジ７が形成されている。
【００２０】
同様に、前記左右の側端エッジ８ａ，８ｂも、前記水切部材２の表面に形成された側端傾斜面１１ａと裏面に形成された側端傾斜面１１ｂとが交わる部分に形成されることにより、それぞれ先が尖った形をしている。即ち、前記水切部材２の左側端部及び右側端部の表面及び裏面には、該水切部材２の側端に向けて該水切部材２の厚さが次第に薄くなるように傾斜する平面状の前記側端傾斜面１１ａ，１１ｂが形成され、表面の側端傾斜面１１ａと裏面の側端傾斜面１１ｂとが交わる部分に前記側端エッジ８ａ，８ｂがそれぞれ形成されている。
【００２１】
前記表面の先端傾斜面１０ａと裏面の先端傾斜面１０ｂ、及び、前記表面の側端傾斜面１１ａと裏面の側端傾斜面１１ｂとは、前記第１仮想平面Ｓ１に対してそれぞれ対称をなしているため、前記先端エッジ７及び左右の側端エッジ８ａ，８ｂは、前記第１仮想平面Ｓ１上に位置していることになる。
【００２２】
また、前記先端エッジ７を形成する表面の先端傾斜面１０ａ及び裏面の先端傾斜面１０ｂの、傾斜開始端から前記先端エッジ７までの斜面幅Ｈ１は、前記左右の側端エッジ８ａ，８ｂを形成する表面の側端傾斜面１１ａ及び裏面の側端傾斜面１１ｂの、傾斜開始端から前記側端エッジ８ａ，８ｂまでの斜面幅Ｈ２より大きい。更に、前記左側の側端エッジ８ａを形成する表面及び裏面の側端傾斜面１１ａ，１１ｂの斜面幅Ｈ２と、右側の側端エッジ８ｂを形成する表面及び裏面の側端傾斜面１１ａ，１１ｂの斜面幅Ｈ２とは、互いに等しい。
前記水切部材２の角部、即ち前記先端エッジ７及び側端エッジ８ａ，８ｂの端部は、図示した例では尖っているが、円弧状に形成されていても、斜め直線状にカットされていても良い。
【００２３】
前記構成を有する水切りワイパーを使用し、浴室の床や壁あるいは浴槽等の実質的に平らな部分に付着した水滴を除去する場合には、水切部材２の先端部に形成された長さの長い先端エッジ７をこの平らな部分に押し付け、その状態で該水切りワイパーを前後動させることにより水滴を掻き取るようにする。また、隣接する蛇口と蛇口の間や、蛇口と壁の間のような狭い部分に付着した水滴を除去する場合には、水切部材２の左側又は右側の側端部をこの狭い部分に差し込み、該側端部に形成された長さの短い側端エッジ８ａ，８ｂで水滴を掻き取るようにする。更に、浴槽の内面のように複雑に湾曲する曲面に付着した水滴を除去する場合には、その曲面の湾曲状態に応じて前記先端エッジ７と側端エッジ８ａ，８ｂとを適宜使い分けながら、該曲面に付着した水滴を掻き取るようにする。
【００２４】
このようにして前記水切りワイパーは、浴室の床や壁、浴槽等の平坦な面に付着した水滴は勿論のこと、隣接する蛇口と蛇口の間や蛇口と壁の間のような狭い部分に付着した水滴や、浴槽の内面のように複雑に湾曲する曲面に付着した水滴であっても、確実に除去することができる。
また、例えば一方の壁と他方の壁とが直角に連なるコーナー部分の水滴を除去するような場合には、水切りワイパーの先端エッジ７を前記一方の壁に押し当てると共に、一方の側端エッジ８ａ又は８ｂを他方の壁に押し当てた状態で、該水切りワイパーをコーナー部分に沿って移動させることにより、両方の壁の水切りを行うこともできる。その場合、前記側端エッジ８ａ，８ｂを有していない公知の水切りワイパーで同様の操作を行った場合には、硬質の側端部が壁に接触することによって壁面を傷付けるおそれがあるが、本発明の水切りワイパーではそのような問題が生じない。
【００２５】
更に、前記水切りワイパーは、表裏対象に形成されているため、表裏どちら向きにしても全く同じように使用することができ、しかも、表裏を均等に使用することによって使用癖が付きにくいため、耐久性にも勝れる。
【００２６】
また、前記グリップ部３には、図２に鎖線で示すように、長さ調節用の柄棒１２を接続することができ、このような柄棒１２を接続することにより、浴室の天井のような高い部分の水滴を除去することもできる。
【符号の説明】
【００２７】
１      柄
２      水切部材
３      グリップ部
４      ネック部
５      アーム部
６      段差
７      先端エッジ
８ａ，８ｂ      側端エッジ
１０ａ，１０ｂ      先端傾斜面
１１ａ，１１ｂ      側端傾斜面
Ｌ      中心軸線
Ｓ１      第１仮想平面
Ｓ２      第２仮想平面
Ｄ１      先端エッジの長さ
Ｄ２      側端エッジの長さ
Ｈ１      先端傾斜面の斜面幅
Ｈ２      側端傾斜面の斜面幅
【図１】
2020185519.tif 000003
【図２】
2020185519.tif 000004
【図３】
2020185519.tif 000005
【図４】
2020185519.tif 000006